(57)【要約】【課題】大きな経済的負担をかけることなく、パチンコ球の換金から生じる詐欺的行動を封じ込むことが可能なパチンコ球を提供すること。【解決手段】刻印の深さを０．１８ｍｍ〜０．２２ｍｍに設定すると共に、この刻印内に塗布される塗料が２液混合タイプの樹脂に、蛍光顔料、蓄光顔料、又は蛍光ではない通常顔料を混合した塗料である。蛍光顔料が混合されている塗料は、紫外線を発生させるブラックライトを照射すると、刻印部分が紫外線に反応して光るようにしてある。【選択図】 図１
2010194292.tif 000002
【特許請求の範囲】
【請求項１】
刻印の深さを０．１８ｍｍ〜０．２２ｍｍに設定すると共に、この刻印内に塗布される塗料が２液混合タイプの樹脂に、蛍光顔料を混合した塗料であることを特徴とするパチンコ球。
【請求項２】
刻印の深さを０．１８ｍｍ〜０．２２ｍｍに設定すると共に、この刻印内に塗布される塗料が２液混合タイプの樹脂に、蓄光顔料を混合した塗料であることを特徴とするパチンコ球。
【請求項３】
刻印の深さを０．１８ｍｍ〜０．２２ｍｍに設定すると共に、この刻印内に塗布される塗料が２液混合タイプの樹脂に、蛍光及び蓄光ではない通常顔料を混合した塗料であることを特徴とするパチンコ球。
【請求項４】
蛍光顔料が混合されている塗料は、紫外線を発生させるブラックライトを照射すると、刻印部分が紫外線に反応して光るようにしてあることを特徴とする請求項１記載のパチンコ球。
【発明の詳細な説明】
【技術分野】
【０００１】
この発明は、ホールで購入してパチンコ台に使用されるパチンコ球（貸し玉）に関するものである。
【背景技術】
【０００２】
近年、所謂パチンコは非常に人気のある遊戯の一つとなってきており、老若男女にかかわらず多くの人が遊戯を楽しんでいる。
【０００３】
パチンコを楽しむ場合、先ず、ホールの特定位置に設置されている貸し玉機に現金を投入してパチンコ球（貸し玉）を借り入れ、利用されていないパチンコ台を見つけて前記パチンコ球を使用して遊戯する。
【０００４】
しかしながら、近年、ホールにおいて以下の（１）〜（３）に示すような詐欺的事件が横行するようになってきている。
（１）他店のパチンコ球を使用して遊戯を楽しむ。  
（２）パチンコ球ではない偽の球体を衣服に隠してホールに持ち込み、前記偽の球体をパチンコ球のように見せかけて換金する。
（３）最近、一つのパチンコホールにおいて、一玉４円の貸し玉機と一玉１円の貸し出玉機を設置しているところがあり、このようなホールでは一玉４円の遊戯場と一玉１円の遊技場とを区画するようにしているが、一玉１円で貸し出されたパチンコ球を一玉４円で換金する者もでてきている。
【０００５】
上記した（１）〜（３）のような事態が起こった場合、ホール経営者は大打撃をうけることは間違いないが、大きな経済的負担をかけることなくそれを回避する方法するは今のところ見つかっていない。
【発明の開示】
【発明が解決しようとする課題】
【０００６】
そこで、この発明は、大きな経済的負担をかけることなく、パチンコ球の換金から生じる詐欺的行動を封じ込むことが可能なパチンコ球を提供することを課題とする。
【課題を解決するための手段】
【０００７】
（請求項１記載の発明）
この発明のパチンコ球は、刻印の深さを０．１８ｍｍ〜０．２２ｍｍに設定すると共に、この刻印内に塗布される塗料が２液混合タイプの樹脂に、蛍光顔料を混合した塗料である。
【０００８】
（請求項２記載の発明）
この発明のパチンコ球は、刻印の深さを０．１８ｍｍ〜０．２２ｍｍに設定すると共に、この刻印内に塗布される塗料が２液混合タイプの樹脂に、蓄光顔料を混合した塗料である。
【０００９】
（請求項３記載の発明）
この発明のパチンコ球は、刻印の深さを０．１８ｍｍ〜０．２２ｍｍに設定すると共に、この刻印内に塗布される塗料が２液混合タイプの樹脂に、蛍光及蓄光ではない通常顔料を混合した塗料である。
【００１０】
（請求項４記載の発明）
この発明のパチンコ球は、上記請求項１記載の発明に関し、蛍光顔料が混合されている塗料は、紫外線を発生させるブラックライトを照射すると、刻印部分が紫外線に反応して光るようにしてある。
【発明の効果】
【００１１】
この発明のパチンコ球によると、大きな経済的負担をかけることなく、パチンコ球の換金から生じる詐欺的行動を封じ込むことが可能になる。
【図面の簡単な説明】
【００１２】
【図１】この発明の実施例のパチンコ球に刻印の方法を示す断面図。
【発明を実施するための最良の形態】
【００１３】
以下、この発明のパチンコ球の実施の形態を、図面を参照して説明する。
【実施例１】
【００１４】
（パチンコ球Ｐへのｋの方法と一連の作業について）
パチンコ球１へのマーク入れは、２個の１セットから成る印材判を刻印機にセットして球体を挟み、中空を回転させながら印字する、所謂ローリング方が使われている。この方法について以下に説明していく。
（１）先ず、生球と呼ばれる熱処理前の鋼製の鉄球をしようしてマーキングする。
（２）生球は製品直径１１ｍｍの玉に対して、＋3〜４ｍｍ／１００の大きさ製作されたものを使用する。これは後処理である精研磨並びにメッキをして良好な光沢を得るための寸法予備計としての意味合いがある。
（３）この球にパチンコ店の指定のマークやロゴの刻印ｋを施していく。刻印ｋは基本的には球の赤道面を中心として挟み込む形で圧力をかけてマークを入れていく。このとき、刻印ｋの刃先はＶの字形に製作されており、球の表面に切り込みを入れるような形になる（図1参照）。
（４）刻印された玉はこの後熱処理が施されて硬度を上げることになるが、浸炭熱処理という方法の性格上「焼き膨れ」という現象が起こり1〜２ｍｍ／１００ほど球の直径が大きくなる。
（５）これをラッピング研磨という砥石を使用した研磨で５ｍｍほどにまで大きくなった玉を研磨して、ロッド全体の誤差や真球度を揃えていき、さらに表面研磨に正寸である１１ｍｍに調整していく。
（６）このとき、予めマーキングされた刻印ｋはＶ字形のその溝が入っているために球の直径が研磨されて小さくなることによって、Ｖ字の上部分の溝幅間隔も小さくなる。これにより最初にマーキングされたときよりもｋの見え方は薄くなる。したがって、この実施例においては、図１に示すＡの間隔（Ｂの間隔は取りしろｋの外周における間隔）を広く見せるために生球の取りしろｋの厚みを小さくして刻印ｋの溝深さを深くしており、これにより、製作された製品は従来の刻印球よりも刻印面積が拡大されている。
【００１５】
ここで、この実施例では、前記刻印球のｋの深さは０．１８ｍｍ〜０．２２ｍｍに設定され、この刻印内に塗布される塗料は２液混合タイプの樹脂に蛍光顔料を混合したものを塗布している。
【００１６】
（このパチンコ球を使用したときの優れた効果について）
（１）パチンコ台の皿に対して所謂ブラックライトからの紫外線を照射させておいても、その店の正当なもの以外のパチンコ球Ｐが皿に投入されても全く光ることがない。これに対して正当なパチンコ球Ｐが皿に投入された場合には当該パチンコ球Ｐは光ることになる。
【００１７】
したがって、店員が巡回している店内においては、正当なパチンコ球Ｐを使用しているか否かが明瞭に判ることになる。
【００１８】
また、この実施例のパチンコ球Ｐを上述の如き製造するのに初期に多くの費用がかかることはなく、またパチンコ球Ｐの刻印ｋ内に耐久性及び耐摩耗性を有する塗料が塗布されてなるものであるから、ランニングコストも少ない。
【００１９】
（２）パチンコ球の計数器に対してブラックライトからの紫外線を照射させておいても、投入されたパチンコ球Ｐが全く光ることがない。これに対して正当なパチンコ球Ｐが計数器に投入された場合には当該パチンコ球Ｐは光ることになる。
【００２０】
したがって、計数器担当の店員又はその付近の店員は偽りの偽の球体であることが明瞭に判ることになる。
【００２１】
（３）ホールにおいて一玉４円の遊戯場と一玉１円の遊技場とに区画されていてもその区画を越えて換金しようとする者も存在する。
【００２２】
しかしながら、たとえ区画を越えて一玉１円の遊戯場から一玉４円のパチンコ球Ｐのエリアに入って換金しようとしても、一玉４円のパチンコ球Ｐと一玉１円のパチンコ球Ｐうち一方のみに、所謂ブラックライトからの紫外線を照射させると光るようにしておくことにより、不正な換金は阻止できることになる。
【００２３】
（４）店内にブラックライトを配置させることにより、出玉の演出にも効果がある。
【００２４】
（５）計数器にブラックライトを設置することにより他店のパチンコ球Ｐの混入を防ぐ効果がある。
【００２５】
（他の実施形態）
上記実施例１では、刻印ｋの深さを０．１８ｍｍ〜０．２２ｍｍに設定すると共に、この刻印ｋ内に塗布される塗料が２液混合タイプの樹脂に蛍光顔料を塗布するものとしているが、これに限定されることなく、刻印ｋの深さを０．１８ｍｍ〜０．２２ｍｍに設定すると共に、この刻印ｋ内に塗布される塗料が２液混合タイプの樹脂に蛍光ではない通常顔料を混合した塗料であってもよい。
【００２６】
このような場合でも、製作された製品が従来の刻印球よりも刻印面積が拡大されているものとすれば、塗料部分が鮮明であることから、（このパチンコ球を使用したときの優れた効果について）の欄の（１）〜（３）とほぼ同様の機能を発揮することが明らかである。
【００２７】
他方、刻印ｋの深さを０．１８ｍｍ〜０．２２ｍｍに設定すると共に、この刻印ｋ内に塗布される塗料が２液混合タイプの樹脂に蓄光顔料を混合した塗料であるものとすることができる。
【００２８】
このように、刻印ｋ内に塗布される塗料が２液混合タイプの樹脂に蓄光顔料を混合したものであれば、ホールの緊急時や停電時に店内が暗くなったときに玉の蓄光塗料が発光し、客の足元や店内に置かれている玉の位置を薄暗い中でも視認しやすくなる。これにより従業員や客が安全に避難できるようになるという効果を奏する。
【符号の説明】
【００２９】
Ｐ      パチンコ球
ｔ      取りしろ
ｋ      刻印
【図１】
2010194292.tif 000003